(57)【特許請求の範囲】
【請求項１】
液体を収容するタンク部を有し、先端側に供給口を有する本体と、
タンク部内を前進するピストンと、
本体よりも後方へ突出したノック体を有し、該ノック体が軸線方向にノックされることにより、タンク部内のピストンを前方へ繰り出すピストン押出機構と、
を有するノック式液体容器において、
ノック体を除く液体容器の後端面は、軸線方向に対して非垂直面となっており、
前記ピストン押出機構は、前記ピストンに先端が連結され、後方へと伸び、周面に雄ネジが形成されてタンク部に対して回転不能となったピストンロッドと、ピストンロッドの雄ネジに螺合する雌ネジ孔が前部内周面に形成されたピストンロッドガイドと、ピストンロッドガイドの外周面に相対回転不能に装着された回転カムと、前記ノック体と、前記回転カムとノック体と共に回転カム機構を構成する尾冠と、回転カムを後方へ付勢するリターンスプリングと、を備えており、尾冠には、周方向に離間して軸線方向に伸びる複数のカム溝が形成され、該カム溝には、回転カムの突起がスライド可能に嵌め込まれ、ノック体により回転カムの突起がカム溝から押し出されて回転して隣接するカム溝に移動することにより、ノック体のノックを回転カムの回転に変換するものであり、回転カムの突起を前記カム溝から押し出すのに必要な長さがピストンを前進させるために必要なノック体のノック代となり、
前記ノック体を除く液体容器の後端面の最後方部位とノック体の非ノック時状態における後端面との間の軸線方向長さは、前記ピストンを前進させるために必要なノック体のノック代以下に設定されることを特徴とするノック式液体容器。
【請求項２】
液体を収容するタンク部を有し、先端側に供給口を有する本体と、
タンク部内を前進するピストンと、
本体よりも後方へ突出したノック体を有し、該ノック体が軸線方向にノックされることにより、タンク部内のピストンを前方へ繰り出すピストン押出機構と、
を有するノック式液体容器において、
ノック体を除く液体容器の後端面は、軸線方向に対して非垂直面となっており、
前記ピストン押出機構は、ピストンに先端が連結され、後方へと伸び、周面に雄ネジが形成されてタンク部に対して回転不能となったピストンロッドと、ピストンロッドの雄ネジに螺合する雌ネジ孔が形成された回転カムと、回転カムの前方でタンク内に固定されピストンロッドが貫通するラチェット筒と、回転カムの後方にあって回転カムを回転可能なノックカムと、前記ノック体と、ノックカムとノック体との間に介挿されノック体を後方へと弾発するノックスプリングと、を備え、
ノック体とノックカムとのいずれか一方に突起が形成され、他方に軸線方向に傾斜し、該突起が嵌入された傾斜路が形成されており、
回転カムの前端には鋸歯が形成されており、該ラチェット筒には、該回転カムの前端に形成された鋸歯と噛み合い可能であり、且つ軸線方向に出没可能となったラチェット歯が形成されていることを特徴とするノック式液体容器。
【請求項３】
前記ノック体を除く液体容器の後端面の最後方部位とノック体の非ノック時状態における後端面との間の軸線方向長さは、ピストンを前進させるために必要なノック体のノック代以下に設定されることを特徴とする請求項２記載のノック式液体容器。
【発明の詳細な説明】
【０００１】
【発明の属する技術分野】
本発明は、例えば、化粧用インキ、筆記用インキ、修正液等の液体を収容し、その先端側に液体供給口を有するノック式液体容器に関する。
【０００２】
【従来の技術】
従来この種の液体を収容する容器としては、本願出願人の出願による特願２０００−５１９１９で提案のものがある。この出願では、ノック操作にて、液体を前方へと供給することができるノック式液体容器を提供することを目的として、液体を収容し、先端側に供給口を有するタンクと、タンク内を摺動するピストンと、ピストンと一体的に連結され後方へと伸び、周面に雄ネジが形成されタンクに対して相対的に回転不能となったネジ軸と、ネジ軸の雄ネジに螺合する雌ネジ孔が形成された回転カムと、回転カムの後方にあって該回転カムを一方向に回転するノックカムと、ノックカムに対して後方へ弾発され、ノック操作可能となったノック体と、を備え、ノック体とノックカムとのいずれか一方に突起が形成され、他方に軸線方向に傾斜し、該突起が嵌入された傾斜路が形成されており、ノック体のノック動作によりノックカムが回転し回転カムを回転する構成となっている。
【０００３】
そしてこの構成により、ノック体のノック動作により液体を供給することができるので、操作を最低１つの手で行うことができ、操作性が良好となる、という優れた効果を持たせている。
【０００４】
【発明が解決しようとする課題】
しかしながら、ノック動作が簡単であるため、誤ってノック体がノックされる可能性が高くなり、それによって、ピストンが前進されて、液体がタンクから不要に吐出される虞がある。誤ってノック体が押されることを防止するために、ノック体のノック荷重を重く（例えば１２．７Ｎ（１．３ｋｇ重）程度）とする必要があり、操作性を悪化させる結果となっていた。
【０００５】
本発明は、かかる課題に鑑みなされたもので、誤ってノック体がノックされたとしても、液体が不要に吐出されることを防ぐことができるノック式液体容器を提供することをその目的とする。
【０００６】
【課題を解決するための手段】
上記目的を達成するために本発明のうち請求項１記載の発明による液体容器では、液体を収容するタンク部を有し、先端側に供給口を有する本体と、
タンク部内を前進するピストンと、
本体よりも後方へ突出したノック体を有し、該ノック体が軸線方向にノックされることにより、タンク部内のピストンを前方へ繰り出すピストン押出機構と、
を有するノック式液体容器において、
ノック体を除く液体容器の後端面は、軸線方向に対して非垂直面となっており、
前記ピストン押出機構は、前記ピストンに先端が連結され、後方へと伸び、周面に雄ネジが形成されてタンク部に対して回転不能となったピストンロッドと、ピストンロッドの雄ネジに螺合する雌ネジ孔が前部内周面に形成されたピストンロッドガイドと、ピストンロッドガイドの外周面に相対回転不能に装着された回転カムと、前記ノック体と、前記回転カムとノック体と共に回転カム機構を構成する尾冠と、回転カムを後方へ付勢するリターンスプリングと、を備えており、尾冠には、周方向に離間して軸線方向に伸びる複数のカム溝が形成され、該カム溝には、回転カムの突起がスライド可能に嵌め込まれ、ノック体により回転カムの突起がカム溝から押し出されて回転して隣接するカム溝に移動することにより、ノック体のノックを回転カムの回転に変換するものであり、回転カムの突起を前記カム溝から押し出すのに必要な長さがピストンを前進させるために必要なノック体のノック代となり、
前記ノック体を除く液体容器の後端面の最後方部位とノック体の非ノック時状態における後端面との間の軸線方向長さは、前記ピストンを前進させるために必要なノック体のノック代以下に設定されることを特徴とする。
【０００７】
ノック体が何らかに接触して誤ってノックされた場合に、ノック体の後端面が、ノック体を除く液体容器の後端面の最後方部位と面一になるまでノックされると、ノック体単独でそれ以上移動することは困難となる。こうして、ノック体が完全に軸線方向最大限前方までノックされることを防ぐことができ、従って、ピストンを確実に前方へ繰り出すことを防ぐことができ、液体が無制限に本体の供給口より吐出されることを防ぐことができる。本当にピストンを押し出して液体を供給したい場合には、ノック体を、ノック体を除く液体容器の後端面の最後方部位よりもさらにノックすることにより行うことができる。
【０００８】
そして、ノック体の後端面が、ノック体を除く液体容器の後端面の最後方部位と面一となるまでノックされても、ピストンが前進されずに、従って、液体が本体の供給口より前方へと吐出されることを防ぐことができる。
【０００９】
ノック体がノックされると、回転カム機構により、ノック体のノックが回転カムの回転に変換され、ピストンロッドガイドが回転する。一方、ピストンロッドガイドの雌ネジ孔に螺合する雄ネジが形成されたピストンロッドは、タンク部に対して回転不能となっているため、ピストンロッドが前進して、ピストンが前方へと押し出される。回転カム機構において、ノック体のノックによって実際に回転カムが回転するまでの遊びを利用して、ノック体が誤ってノックされたときにピストンを前方へと繰り出さないようにすることができる。
【００１０】
請求項２記載の発明は、液体を収容するタンク部を有し、先端側に供給口を有する本体と、
タンク部内を前進するピストンと、
本体よりも後方へ突出したノック体を有し、該ノック体が軸線方向にノックされることにより、タンク部内のピストンを前方へ繰り出すピストン押出機構と、
を有するノック式液体容器において、
ノック体を除く液体容器の後端面は、軸線方向に対して非垂直面となっており、
前記ピストン押出機構は、ピストンに先端が連結され、後方へと伸び、周面に雄ネジが形成されてタンク部に対して回転不能となったピストンロッドと、ピストンロッドの雄ネジに螺合する雌ネジ孔が形成された回転カムと、回転カムの前方でタンク内に固定されピストンロッドが貫通するラチェット筒と、回転カムの後方にあって回転カムを回転可能なノックカムと、前記ノック体と、ノックカムとノック体との間に介挿されノック体を後方へと弾発するノックスプリングと、を備え、
ノック体とノックカムとのいずれか一方に突起が形成され、他方に軸線方向に傾斜し、該突起が嵌入された傾斜路が形成されており、
回転カムの前端には鋸歯が形成されており、該ラチェット筒には、該回転カムの前端に形成された鋸歯と噛み合い可能であり、且つ軸線方向に出没可能となったラチェット歯が形成されていることを特徴とする。ノック体がノックされると、ノック体とノックカムのいずれか一方に形成された突起がいずれか他方に形成された傾斜路内を移動して、ノックカムが回転し、回転カムが回転する。一方、回転カムの雌ネジ孔に螺合する雄ネジが形成されたピストンロッドは、タンク部に対して回転不能となっているため、ピストンロッドが前進して、ピストンが前方へと押し出される。回転カムの鋸歯がラチェット筒のラチェット歯を超えるまでの遊びを利用して、ノック体が誤ってノックされたときにピストンを前方へと繰り出さないようにすることができる。
請求項３記載の発明は、請求項２記載のものにおいて、前記ノック体を除く液体容器の後端面の最後方部位とノック体の非ノック時状態における後端面との間の軸線方向長さは、ピストンを前進させるために必要なノック体のノック代以下に設定されることを特徴とする。
【００１１】
【発明の実施の形態】
以下、図面を用いて本発明の実施の形態を説明する。図１ないし図８は本発明の第１実施形態を表す図である。
【００１２】
図において、符号１０は液体容器であり、液体容器１０は大別して、例えば修正液、筆記用インキ、化粧用インキ等の液体Ｌが収容されたタンク部Ｔを有し、先端に液体供給口１２ｂを有する本体１２と、本体１２の前部に取り付けられる先具ユニット１３と、タンク部Ｔ内を摺動可能となったピストン２２と、液体容器１０の後部に設けられピストン２２を前方へ繰り出すピストン押出機構２３と、を有している。
【００１３】
先具ユニット１３は、本体１２の先端が圧入嵌合された先具１４と、先具１４の後部内に圧入されるパイプホルダー１６と、パイプホルダー１６の先端に固定された先端パイプ１８と、先端パイプ１８の先端がその基部内に挿入され先具１４内で基部がパイプホルダー１６と先具１４との間に挟まれたブラシ（先端塗布体）２０とを有している。また、本体１２の先端には、不使用時にブラシ２０を保護するキャップ３６が着脱可能に被着され、さらに先具１４には出荷時に、穂先保護用のカバー３８が被着されている。
【００１４】
ピストン押出機構２３は、前記ピストン２２に先端が連結され、後方へと伸び、周面に雄ネジ２４ａが形成されたピストンロッド２４と、ピストンロッド２４の雄ネジ２４ａに螺合する雌ネジ孔２６ａが前部内周面に形成されたピストンロッドガイド２６と、ピストンロッドガイド２６の先端が回転可能に軸支されると共に、ピストンロッド２４が相対回転不能に挿通する内筒２７と、内筒２７に連結される尾冠２８と、ピストンロッドガイド２６の外周面に相対回転不能に装着された回転カム３０と、尾冠２８より後方へ突出したノック体３２と、回転カム３０を後方へ付勢するリターンスプリング３４と、を備えている。
【００１５】
このピストン押出機構２３について、もう少し詳細に説明する。
【００１６】
まず、尾冠２８、ノック体３２及び回転カム３０は、回転カム機構を構成しており、尾冠２８の内周面には、図２（ｃ）に示すように、周方向に離間されて複数のカム山２８ａが形成されており、カム山２８ａの先端は、軸線方向に傾斜したカム面となっている。カム山２８ａの後端には、カム山２８ａ同士の後端を周方向に連結する環状突起２８ｃが形成されている。このカム山２８ａ、２８ａとの間に形成されるカム溝２８ｂには、ノック体３２の外周面に形成された突起３２ａ（図３参照）がスライド可能に嵌め込まれるようになっている。図３に示すように、ノック体３２の先端は、鋸状のカム面３２ｂとなっている。また、前記尾冠２８のカム溝２８ｂには、回転カム３０の外周面に形成された突起３０ａ（図４参照）もスライド可能に嵌め込まれるようになっている。図４に示すように、回転カム３０の突起３０ａの後端は、軸線方向に傾斜したカム面３０ｂとなっている。ノック体３２が前方にノックされ、そのカム面３２ｂがリターンスプリング３４に抗して回転カム３０を前方に押し出し、回転カム３０の突起３０ａが尾冠２８のカム溝２８ｂよりも前方に押し出され、その後にノック体３２のノック力が緩まると、リターンスプリング３４の付勢力により、回転カム３０の突起３０ａのカム面３０ｂが、ノック体３２のカム面３２ｂ及び尾冠２８のカム山２８ａのカム面に沿って隣接するカム溝２８ｂの方へ滑り、突起３０ａがそのカム溝２８ｂの中に嵌め込まれるようになっている（図５参照）。従って、ノック体３２が一回ノックを行う毎に、回転カム３０が隣接するカム溝２８ｂに移動する分だけ回転することになる。
【００１７】
図４（ｃ）に示したように、回転カム３０の内周面には、複数の縦溝３０ｃが形成されており、縦溝３０ｃには、ピストンロッドガイド２６の縦リブ２６ｂ（図６）が嵌め込まれて、両者は一体的に回転するようになっている。図６に示したように、ピストンロッドガイド２６の先端部は、外径方向に突出した環状突起２６ｃとなっている。一方、内筒２７には、図７に示すように、その外周面に一対の窓孔２７ａが形成されており、内筒２７の内径は、その窓孔２７ａの形成された付近において後方に向かうに従って漸次拡径されたテーパー面となっている。但し、窓孔２７ａの後端縁部においては、窓孔２７ａと周方向同じ部分に内径側へ突出した突出部２７ｂが形成されており、対向する突出部２７ｂ同士の間隔は、窓孔２７ａの前端縁部における内径と等しくなっている。ピストンロッドガイド２６の環状突起２６ｃはこの内筒２７の突出部２７ｂに係止されており、これにより、ピストンロッドガイド２６は内筒２７に対して回転可能に且つ内筒２７の後方から抜け出ないようになっており、ピストンロッドガイド２６の軸線方向位置が固定されている。
【００１８】
内筒２７の後部内周面には、その突出部２７ｂよりも後方において、複数の縦溝２７ｃが形成されており、この縦溝２７ｃには、図２に示した尾冠２８の前部外周面に形成された縦リブ２８ｄが嵌入され、且つ縦溝２７ｃに形成された突起２７ｄが縦リブ２８ｄに形成された小穴２８ｅ内に嵌入されて、内筒２７と尾冠２８とは一体的に連結される。
【００１９】
また図８に示すように、ピストンロッド２４は、その断面が非円形形状、この実施形態では小判形状をしており、内筒２７には、ピストンロッド２４の断面形状と合致する小判形状の挿通孔２７ｆを持つ内筒部２７ｅが形成されている。このピストンロッド２４がこの内筒部２７ｅの挿通孔２７ｆを貫通することにより、ピストンロッド２４は内筒２７に対して相対的に回転不能となっている。さらに、内筒２７の外周面の一部はローレット外周面２７ｇとなっており、本体１２の内周面の一部に形成されたリブと嵌合している。ローレット嵌合構造により回り止め構造が形成され、内筒２７は本体１２に対して相対的に回転不能となっている。勿論、このローレット嵌合構造以外に、リブ付き嵌合構造、多角形嵌合構造、キーとキー溝嵌合構造等により、内筒２７と本体１２との回り止めを行うことも可能である。前述のように内筒２７がピストンロッド２４に対して回り止めされているため、結果としてピストンロッド２４は本体１２に対して相対的に回転不能となっている。また、内筒２７のローレット外周面２７ｇに隣接して形成され前方に行くに従って縮径したテーパー面２７ｈが、本体１２の内周面に形成されて前方に行くに従って縮径したテーパー面１２ａに当接している。また、尾冠２８は、本体１２に対して圧入固定され、内筒２７は、本体１２のテーパー面１２ａと尾冠２８との間に挟持され、本体１２に対して固定される。
【００２０】
図２に示したように、ノック体３２を除く液体容器１０の後端面となる尾冠２８の後端面は、軸線方向に垂直ではなく、軸線方向に対して斜めにカットされた傾斜端面２８ｇとなっている。そして、その傾斜端面２８ｇの最も後方へ位置する最後方部位と、非ノック状態にあるノック体３２の後端面との間の軸線方向の長さＤ１（図１参照）が、後述するように、ピストン２２を押し出すために必要なノック体３２のノック代とほぼ等しいか、または必要なノック代よりも短くなっている。
【００２１】
以上のピストン押出機構２３は、本体１２とは別に一体的なユニットとして組み立てることができ、ユニットの尾冠２８を本体１２の後方から圧入することで、組み付けることができる。先具ユニット１３も本体１２とは別に一体的なユニットとして組み立てることができる。ピストン押出機構２３を本体１２に組み付けた後、本体１２の先端口より液体Ｌを注入し、その後、先具ユニット１３を本体１２に圧入固定して、組立が完成する。
【００２２】
以上のように構成される液体容器１０を使用する場合は、キャップ３６とカバー３８を外して、ブラシ２０を用いて塗布を行うが、ブラシ２０から液体をさらに供給したいときには、ノック体３２を本体１２に対してノックする。前述のようにノック体３２が一回ノックされる毎に、回転カム３０の突起３０ａが周方向に隣接するカム溝２８ｂへと移動する分だけ回転するので、ピストンロッドガイド２６が一体に回転する。一方、本体１２に対して相対回転不能となったピストンロッド２４は、回転しないため、ピストンロッドガイド２６とピストンロッド２４との間で相対回転が生じ、ピストンロッドガイド２６の雌ネジ孔２６ａとピストンロッド２４の雄ネジ２４ａとの間の螺合により、ピストンロッド２４及びピストン２２が前進する。ピストン２２がタンク部Ｔを前進するので、タンク部Ｔ内の液体Ｌが本体１２の先端側に設けられた供給口１２ｂへと押圧され、先端パイプ１８内を通り、ブラシ２０先端より供給されて使用できるようになる。
【００２３】
ところで、液体容器１０をハンドバックなどに収納している時に、他のものにノック体３２が接触して押圧されたりした場合に、ノック体３２は、その後端面が尾冠２８の傾斜端面２８ｇの最後方部位と面一となる迄は、簡単に押圧され手ノックされる可能性がある。しかしながら、尾冠２８の傾斜端面２８ｇの最後方部位と非ノック時のノック体３２の後端面との間の軸線方向の長さＤ１（図１、図２（ｄ）参照）、ピストン２２を押し出すために必要なノック体３２のノック代よりも短くなっており、ノック体３２は、その後端面が尾冠２８の傾斜端面２８ｇの最後方部位と面一となる迄ノックされたとしても、ピストン２２が押し出されないようになっている。ここで、ピストン２２を押し出すために必要なノック体３２のノック代Ｄ０とは、回転カム３０の突起３０ａを尾冠２８のカム溝２８ｂから前方へ押し出すまでに必要な長さとなる。前述したように、回転カム３０の突起３０ａは、カム溝２８ｂから前方へ押し出された後に、ノック体３２のノック力が緩まると、その突起３０ａのノック体３２のカム面３２ｂと尾冠２８のカム山２８ａのカム面に沿って、隣接するカム溝２８ｂへと移動して、回転カム３０が回転することができる。しかしながら、ノック体３２のノック量が、回転カム３０の突起３０ａをカム溝２８ｂから前方へ押し出すには至らない場合には、ノック体３２のノック力を緩めると、突起３０ａが同じカム溝２８ｂを後退し、回転カム３０は回転しない。そのため、回転カム３０は前後方向にのみ移動し、ピストンロッドガイド２６は回転しないため、ピストン２２は前進することがない。ノック体３２が何らかに当接するなどして押圧された場合には、ノック体３２の後端が傾斜端面２８ｇの最後方位置と面一になる、所謂ハーフノック（図１、図２（ｄ）のＤ１）で済むため、ピストン２２で液体を押し出すことを防ぐことができる。本当に使用する場合には、ノック体３２を尾冠２８の傾斜端面２８ｇの最後方部位よりもさらに深く前方へとノックする、所謂切換ノック（図１、図２（ｅ）のＤ０）をすることで、ピストン２２を前進させて液体を供給することができる。
【００２４】
尚、この尾冠２８の傾斜端面２８ｇの変形例として、図１２に示すような傾斜端面２８’ｇとすることも可能である。このノック体２８’の傾斜端面２８’ｇでは、その中で対向する２点が最後方位置となっている。
【００２５】
次に、図９ないし図１１は、本発明の第２実施形態を表す図である。図において、符号４０は液体容器であり、大別して、本体１２と、先具ユニット１３と、タンク部Ｔ内を摺動可能となったピストン２２と、液体容器４０の後部に設けられピストン２２を前方へ繰り出すピストン押出機構４３と、を有している。その先具ユニット１３については、第１実施形態と同様であるため、図示及び説明を省略する。
【００２６】
ピストン押出機構４３は、ピストン２２と一体的に連結され、後方へと伸び、周面に雄ネジ２４ａが形成されたピストンロッド２４と、ピストンロッド２４の雄ネジ２４ａに螺合する雌ネジ孔４６ｃが形成された回転カム４６と、回転カム４６の前方でタンク部Ｔ内に固定されピストンロッド２４が貫通するラチェット筒４７と、回転カム４６の後方にあって回転カム４６を回転可能なノックカム４８と、タンク部Ｔの後端に固定された尾冠５４と、尾冠５４より後方へ突出したノック体５０と、ノックカム４８とノック体５０との間に介挿されノック体５０を後方へと弾発するノックスプリング５２と、を備えている。
【００２７】
このピストン押出機構４３について、もう少し詳細に説明する。
【００２８】
尾冠５４の周面には一対の窓孔５４ａが形成されており、この窓孔５４ａにノック体５０の周面に形成された弾性片５０ａの先端の弾性突起５０ｂが嵌め込まれて、この弾性突起５０ｂが窓孔５４ａを摺動することで、ノック体５０は尾冠５４に対して軸線方向に移動可能且つ相対回転不能となっている。
【００２９】
さらに、ノック体５０の側面には、軸線方向に傾斜した傾斜溝５０ｃが形成されており、この傾斜溝５０ｃにノックカム４８の外側面に形成された突起４８ａが嵌入されており、この傾斜溝５０ｃを突起４８ａが移動可能となっている。
【００３０】
ノックカム４８の前端には、鋸歯４８ｂが形成されており、該鋸歯４８ｂは、回転カム４６の後端に形成された鋸歯４６ａと噛み合い可能となっている。また、回転カム４６の前端には、後端に形成された鋸歯４６ａと反対の向きとなった鋸歯４６ｂが形成されている。この鋸歯４６ｂは、ラチェット筒４７の後端に形成され、Ｌ字状スリット４７ｄにより軸線方向に弾性変形して出没可能となったラチェット歯４７ａに噛み合い可能となっている。
【００３１】
また、ラチェット筒４７には、ピストンロッド２４の断面形状と合致する小判形状の挿通孔４７ｂが形成されている。ピストンロッド２４がこの挿通孔４７ｂを貫通することにより、ピストンロッド２４はラチェット筒４７に対して相対的に回転不能となっている。さらに、ラチェット筒４７の外周面には、複数の縦リブ４７ｃが形成されており、縦リブ４７ｃは、尾冠５４の内周面に形成された縦溝５４ｂと嵌合して、ラチェット筒４７は尾冠５４に対して相対的に回転不能となっている。また、ラチェット筒４７の前方に面した段部４７ｆが、尾冠５４の後方に面した段部５４ｃに当接している。こうして、ラチェット筒４７は、尾冠５４に対して固定される。また、尾冠５４は、本体１２に対して圧入固定されているので、ラチェット筒４７は本体１２に対して固定となっている。そして、前述のようにラチェット筒４７がピストンロッド２４に対して回り止めされているため、結果としてピストンロッド２４は本体１２に対して相対的に回転不能となっている。
【００３２】
ノック体５０を除く液体容器４０の後端面となる尾冠５４の後端面は、軸線方向に垂直ではなく、軸線方向に対して斜めにカットされた傾斜端面５４ｄとなっている。そして、その傾斜端面５４ｄの最も後方へ位置する部位と、ノック体５０の後端面との間の軸線方向の長さＤ２（図９参照）は、後述するように、ピストン２２を押し出すために必要なノック体５０のノック代とほぼ等しいか、若干、短くなっている。
【００３３】
第１実施形態と同様に、ピストン押出機構４３は、本体１２とは別に一体的なユニットとして組み立てることができ、ユニットの尾冠５４を本体１２の後方から圧入することで、組み付けることができる。ピストン押出機構４３を本体１２に組み付けた後、本体１２の先端口より液体Ｌを注入し、その後、先具ユニット１３を本体１２に圧入固定して、組立が完成する。
【００３４】
以上のように構成される液体容器４０を使用する場合は、ブラシ２０を用いて塗布を行うが、ブラシ２０から液体Ｌをさらに供給したいときには、ノック体５０をノックする。
【００３５】
ノック体５０がノックされて前進すると、ノックカム４８は前進できないため、ノックカム４８の突起４８ａはノック体５０の傾斜溝５０ｃに沿って移動し、ノックカム４８は図１０の矢印の方向に回転する。ノックカム４８の鋸歯４８ｂと回転カム４６の鋸歯４６ａが噛み合っていることから、ノックカム４８の回転により回転カム４６も同じ方向に回転する。このとき、回転カム４６は、その鋸歯４６ｂがラチェット筒４７のラチェット歯４７ａの斜面を滑りながら、ラチェット歯４７ａを出没させて、回転を行う。
【００３６】
回転カム４６が上記方向に回転すると、回転カム４６と螺合されたピストンロッド２４は、その回転がラチェット筒４７によって規制されているため前進し、ピストン２２を押し出す。これにより、本体１２内の液体Ｌがピストン２２によって押され、先端パイプ１８内を通り、ブラシ２０先端より供給されて使用できるようになる。
【００３７】
この実施形態でも、液体容器４０を不使用中に、ノック体５０が他のものに接触して押圧された場合に、ノック体５０は長さＤ２までは簡単にノックされる可能性がある。しかしながら、この長さＤ２が、ピストン２２を前進させるのに必要なノック体５０のノック代とほぼ等しいか、若干、短くなっているために、ノック体５０は、その後端面が尾冠５４の傾斜端面５４ｄの最後方部位と面一となる迄ノックされたとしても、ピストン２２が押し出されないようになっている。即ち、ノック体５０のノック量に対応するノックカム４８の周方向の移動距離が、図１１（ａ）に示すようにラチェット筒４７のラチェット歯４７ａに噛み合った回転カム４６の鋸歯４６ｂがラチェット歯４７ａを変形させて乗り越えるまでの最低限の距離Ｄ３以上となっている場合には、回転カム４６の回転が確定し、ピストンロッド２４及びピストン２２を確実に前進させる。従って、このノックカム４８及び回転カム４６を周方向にＤ３だけ移動させるのに必要なノック代が、ピストン２２を前進させるのに必要なノック体５０のノック代となる。一方、図１１（ｂ）に示すように、ノック体５０のノック量に対応するノックカム４８の周方向の移動距離Ｄ４（＜Ｄ３）が、ラチェット筒４７のラチェット歯４７ａに噛み合った回転カム４６の鋸歯４６ｂがラチェット歯４７ａを変形させて乗り越えるまでに至らない距離である場合には、ノック体５０のノックが解除されると、回転カム４６及びノックカム４８は反対側に回転して、元の状態に戻る。これに伴い、ピストンロッド２４及びピストン２２は、一旦前進するものの、回転カム４６が元の状態に戻るのに伴って、後退する。従って、タンク部Ｔ内の液体Ｌは、一旦タンク部Ｔから送り出されても、再びタンク部Ｔ内へと吸引されるため、液体が吐出されることを防ぐことができる。本当に使用する場合には、ノック体５０を尾冠５４の傾斜端面５４ｄの最後方部位よりもさらに深く前方へとノックすることで、ピストン２２を前進させて液体を供給することができる。
【００３８】
以上説明したように、各実施形態において、誤ってノックされて液体が供給されることが防げるために、ノック荷重を、通常のノックしやすい力（例えば２．９Ｎ〜４．９Ｎ（３００〜５００ｇ重））である９．８Ｎ（１ｋｇ重）以下の押圧力とすることができる。
【００３９】
尚、以上の説明した発明において、１つの部品として説明した部品を複数の部品で構成することも可能であり、または複数の部品として説明した各部品を単一の部品で構成することも可能である。
【００４０】
【発明の効果】
以上説明したように、本発明によれば、意図せずにノック体がノックされた場合であっても、ピストンが押し出されないために、液体が不要に吐出されることを防ぐことができる。従って、ノック体のノック荷重を重いものに設定する必要が無く、ノックし易い力に設定することができる。
【図面の簡単な説明】
【図１】本発明の液体容器の第１実施形態を表す縦断面図である。
【図２】図１の尾冠の（ａ）は平面図、（ｂ）は正面図、（ｃ）は縦断面図、（ｄ）は後部の非ノック状態を表す正面図、（ｅ）は液体を供給するようにノックした状態を表す正面図である。
【図３】図１のノック体の（ａ）は平面図、（ｂ）は縦断面図である。
【図４】図１の回転カムの（ａ）は平面図、（ｂ）は縦断面図、（ｃ）は（ｂ）の矢印４ｃから見た矢視図である。
【図５】（ａ）〜（ｃ）は回転カム機構の動作を表す説明展開図である。
【図６】図１のピストンロッドガイドの縦断面図である。
【図７】図１の内筒の（ａ）は平面図、（ｂ）は縦断面図である。
【図８】図１の８−８線に沿って見た横断面図である。
【図９】本発明の液体容器の第２実施形態を表す後部縦断面図である。
【図１０】図９のピストン押出機構の分解斜視図である。
【図１１】図９の回転カムとラチェット筒との動作を表す説明側面図である。
【図１２】図２の尾冠の変形例であって、（ａ）は平面図、（ｂ）は正面図、（ｃ）は縦断面図、（ｄ）は後部の非ノック状態を表す正面図、（ｅ）は液体を供給するようにノックした状態を表す正面図である。
【符号の説明】
１０、４０  液体容器
１２  本体
１２ｂ  供給口
２２  ピストン
２３、４３  ピストン押出機構
２４  ピストンロッド
２４ａ  雄ネジ
２６  ピストンロッドガイド
２６ａ  雌ネジ孔
２７  内筒
２８、２８’  尾冠
２８ｇ、２８’ｇ  傾斜端面
３０  回転カム
３２  ノック体
３４  リターンスプリング
４６  回転カム
４６ｂ  鋸歯
４６ｃ  雌ネジ孔
４７  ラチェット筒
４７ａ  ラチェット歯
４８  ノックカム
４８ａ  突起
５０  ノック体
５０ｃ  傾斜路
５２  ノックスプリング
５４  尾冠
５４ｄ  傾斜端面
【図１】
0003828732.tif 000002
【図２】
0003828732.tif 000003
【図３】
0003828732.tif 000004
【図４】
0003828732.tif 000005
【図５】
0003828732.tif 000006
【図６】
0003828732.tif 000007
【図７】
0003828732.tif 000008
【図８】
0003828732.tif 000009
【図９】
0003828732.tif 000010
【図１０】
0003828732.tif 000011
【図１１】
0003828732.tif 000012
【図１２】
0003828732.tif 000013